(57)【要約】【課題】キーのセキュリティを向上した安価な共同利用システムのキー装置を提供すること。【解決手段】キー装置７は、共同利用物のキー９を複数用意されたキー挿入部７ａの１つに挿入して管理する装置である。キー９は、キーノブ部１１ａを被覆するキーノブカバー１２を有する。キーノブカバー１２は、キー９を識別するための識別部１２ａ（識別手段）と、係合部１２ｄとを有する。キー挿入部７ａは、キー９のキー部１１ｄおよびキーノブカバー１２を収納可能に形成され、識別部１ａ（識別手段）からキー９の識別情報を読み取る可変抵抗器１４（識別情報読取手段）と、キー９がキー挿入部７ａに収納された時に係合部１２ｂと係合することによりキー９を施錠するとともに、利用者の解錠指示によりキー９を抜き取り可能に解錠する電磁ソレノイド１３（キー固定手段）とを備えている。【選択図】      図３
2004244822.tif 000002
【特許請求の範囲】
【請求項１】
共同利用物のキーを複数用意されたキー挿入部の１つに挿入して管理するキー管理装置におけるキー装置であって、
前記キーは、キーノブ部を被覆するキーノブカバーを有し、
前記キーノブカバーは、前記キーを識別するための識別手段と、係合部とを有し、
前記キー挿入部は、前記キーのキー部および前記キーノブカバーを収納可能に形成され、前記識別手段から前記キーの識別情報を読み取る識別情報読取手段と、前記キーが前記キー挿入部に収納された時に前記係合部と係合することにより前記キーを施錠するとともに、利用者の解錠指示により前記キーを抜き取り可能に解錠するキー固定手段とを備えたことを特徴とするキー装置。
【請求項２】
前記キーが施錠された状態で、前記キーノブカバーの前記キー挿入部の表面より奥側に、優先的に破損することが可能な前記キーノブカバーの破損可能部が設けられたことを特徴とする請求項１に記載のキー装置。
【請求項３】
前記キーが施錠された状態で、前記キーノブカバーの端部が前記キー挿入部の表面と同一面か、同一面よりも奥側になるように設定され、前記キー取り出し手段が設けられていることを特徴とする請求項１又は請求項２に記載のキー装置。
【発明の詳細な説明】
【０００１】
【発明の属する技術分野】
本発明は、例えば、自転車等の多数の共同利用物を共同で利用する共同利用システムにおいて、共同利用物のキーの貸し出しと返却等を管理するキー管理装置に用いられるキー装置に関する。
【０００２】
【従来の技術】
従来の共同利用システムとしては、自転車やモータ付き自転車等の車両の貸し出し、車両の返却をコンピュータによって無人で処理することにより、人件費を削減した安価なキー管理システムが知られている。
【０００３】
これらのキー管理システムでは、キーや車両のセキュリティを維持するために、キーを収納して管理するキー収納装置（キーボックス部）が設けられている。キー収納装置のキー取り出し制限手段としては、各車両のキーに合ったキーシリンダによる装置（例えば、特許文献１参照）、およびタグキー（キーホルダ）による装置（例えば、特許文献２参照）等がある。
【０００４】
前記特許文献１に開示されたキー管理システムにおけるキー収納装置は、貸し出される車両のキーシリンダと同一のキーシリンダがキー装置に配置されている。そして、対応するキーをキーシリンダに挿入して１８０度回転すると、シリンダからプランジャが引き込まれるように作動するとともに、電磁ソレノイドによりこのプランジャの突き出しを止めて、キーをキー収納部に固定している。
【０００５】
また、前記特許文献２等のタグキーによるキー収納装置（キーボックス部）は、タグをチェーンやワイヤによってキーのノブに取り付け、そのタグをキー収納装置に固定して管理するキー管理装置である。
【０００６】
【特許文献１】
特開２００２−１８０７１１号公報（第３〜６頁、図１および図２）
【特許文献２】
特開平６−２６６２４９号公報（第３〜５頁、図２および図１４）
【０００７】
【発明が解決しようとする課題】
しかしながら、前記特許文献１のキー管理システムのキー収納装置にあっては、キー収納装置を製造するときは、共同利用する多数の車両を決めた後に、各々の車両のキーに対応したキーシリンダを組み付けなければならず、キー収納装置が完成するまでに時間や組み付け工数が多くかかっていた。また、車両のキーが変わったときには、キー収納装置内部のキーシリンダを交換しなければならなかった。
【０００８】
すなわち、このキー収納装置は、製造コストおよび管理コストが高くなるという問題点がある。また、キー収納装置は、多数のキーシリンダを並設していることにより、キーシリンダを設置するための広い設置スペースが必要となり、装置全体が大型化するという問題点がある。
【０００９】
また、前記特許文献２等のタグキーによるキー収納装置は、各々のキーに付けたタグを着脱するタグキー挿入穴を有する保持枠をキー収納装置のパネル板に並設している。各々のキーは、各々のタグからぶら下がった状態に配置されていることにより、キー収納装置のパネル板が、タグからぶら下がった分の高さだけ上下方向に無駄なスペースを必要とする。このため、キー収納装置が、上下方向に大きくなるという問題点がある。また、キーとタグは、チェーン等によって繋がれ、キーは露出していることから、そのチェーンが切断されてキーが盗難されるおそれがあり、セキュリティに不安がある。
【００１０】
本発明は、キーのセキュリティを向上した安価な共同利用システムのキー装置を提供することを課題とする。
【００１１】
【課題を解決するための手段】
前記課題を解決するために、請求項１に記載のキー装置は、共同利用物のキーを複数用意されたキー挿入部の１つに挿入して管理するキー管理装置におけるキー装置であって、前記キーは、キーノブ部を被覆するキーノブカバーを有し、前記キーノブカバーは、前記キーを識別するための識別手段と、係合部とを有し、前記キー挿入部は、前記キーのキー部および前記キーノブカバーを収納可能に形成され、前記識別手段から前記キーの識別情報を読み取る識別情報読取手段と、前記キーが前記キー挿入部に収納された時に前記係合部と係合することにより前記キーを施錠するとともに、利用者の解錠指示により前記キーを抜き取り可能に解錠するキー固定手段とを備えたことを特徴とする。
【００１２】
請求項１に記載のキー装置によれば、キー固定手段は、キーがキー挿入部に収納された時にキーノブカバーの係合部と係合することによりキーを施錠するとともに、利用者の解錠指示によりキーを抜き取り可能に解錠する。これにより、キーの固定、または開放がなされる。
キーは、キーノブ部を被覆したキーノブカバーを有することにより、キーノブ部の形状が相違する種々の共同利用物に使用されるキーにもそのキーノブカバーを汎用的に設けて適宜に使用することが可能なため、キーのバリエーションに対する適用性を高めることができる。
キーノブカバーは、キーを識別するための識別手段を有し、キー挿入部は、識別手段からキーの識別情報を読み取る識別情報読取手段を有することにより、各々のキーの識別をキーノブカバーによって行うことができる。このため、キーの鍵山や鍵溝や全長等とは無関係にキーの管理ができる。したがって、キー装置を製造するとき、共同利用物や共同利用するキーが決まっていなくても、キー装置を製造することができる。これにより、キー装置を完成するまでの時間や組み付け工数を削減することができる。また、共同利用物を変更した場合（キーシリンダを変更した場合）、キーノブカバーだけ変更すればよく、対応が容易である。したがって、製造コスト、管理コストを抑えることができる。
【００１３】
請求項２に記載のキー装置は、請求項１に記載のキー装置であって、前記キーが施錠された状態で、前記キーノブカバーの前記キー挿入部の表面より奥側に、優先的に破損することが可能な前記キーノブカバーの破損可能部が設けられたことを特徴とする。
【００１４】
請求項２に記載のキー装置によれば、キーノブカバーは、キーを盗難する目的で、強引に所定以上の引張力で引っ張られると破損可能部が破損することにより、破損可能部が破損してキーノブカバーを掴み難くなり、キーを引き抜くことができないため、セキュリティが向上する。
【００１５】
請求項３に記載のキー装置は、請求項１又は請求項２に記載のキー装置であって、前記キーが施錠された状態で、前記キーノブカバーの端部が前記キー挿入部の表面と同一面か、同一面よりも奥側になるように設定され、前記キー取り出し手段が設けられていることを特徴とする。
【００１６】
請求項３に記載のキー装置によれば、キー装置は、キーが施錠された状態で、キーノブカバーの端部がキー挿入部の表面と同一面か、同一面よりも奥側になるように設定されている。これにより、キーを盗難する目的でキーノブカバーを指で掴んで引っ張ろうとしても、キーノブ部が掴めなくなり、キーが盗難されることを防止でき、セキュリティが向上する。
【００１７】
本発明に係るキー装置は、前記キー挿入部の開口形状が、前記キーノブカバーの形状に合わせて形成されていることが好ましい。
このように構成すれば、キー挿入部の開口形状は、キーノブカバーの形状に合わせて形成されていることにより、キー挿入部にラジオペンチ等のキーを掴む道具類を挿入することができないため、キーが盗難されることを防止できる。
【００１８】
本発明に係るキー装置は、前記識別手段がキーノブカバーに形成された切欠部からなり、前記識別情報読取手段が前記切欠部に当接して移動する可変抵抗器と、前記可変抵抗器の抵抗値を検出する抵抗検出器とから構成されることが好ましい。
このような構成にすれば、各々のキーノブカバーに形成された切欠部（識別手段）の相違を、可変抵抗器が移動する移動量に応じた抵抗値に変換し、抵抗検出器がその抵抗値を検知することによって、それぞれのキーを判別することができる。識別手段は、切欠部からなるので構造が簡単で、形成するのが容易であるため、製造コストを抑えることができる。また、識別情報読取手段は、可変抵抗器と、抵抗検出器とからなることにより、安価で簡単に構成することができる。
【００１９】
【発明の実施の形態】
以下、添付図面を参照して、本発明の実施の形態に係るキー装置について詳細に説明する。なお、本発明の一実施の形態として、共同利用システムで共同利用される共同利用物が、自転車である場合について説明する。
図１は、本発明の実施の形態に係る共同利用システムのブロック図である。
【００２０】
まず、図１に基づき、共同利用システムについて説明する。
図１に示すように、マンション等の共同住宅１では、駐輪場の不足や、自転車２の盗難等の問題を解消するために、自転車２や電動自転車やオートバイ等の二輪車を住人が共同利用する所謂共同利用システムを利用しているところがある。
【００２１】
その自転車２の共同利用システムにおいて、その自転車２は、例えば、共同住宅１の共同利用自転車駐輪場（以下、単に「駐輪場３」という）内に設置された各駐輪装置４に車輪２ａをそれぞれ施錠・解錠できるように設置されている。なお、駐輪場３は、共同住宅１内に設置されることに限定されるものではなく、駐輪場３は、共同住宅１の外に設置された建物や集合住宅地に設けられた建物であってもよい。
【００２２】
共同住宅１における自転車２の共同利用システムは、共同利用される自転車２と、その自転車２を施錠・解錠して保管する駐輪装置４と、その駐輪装置４を作動させるための駐輪制御装置５と、共同住宅１の玄関等の共有フロア１ａに設置されるとともに、各々の自転車２のキー９（図３参照）をキー装置７に収納して管理するキー管理装置６と、そのキー管理装置６とシリアル通信で接続されるとともに、キー管理装置６を管理する共同利用システム管理会社８とから構成されている。なお、自転車２は、キー９を施錠・解錠できる二輪車であればよく、電動モータ付き自転車やオートバイ等の車両であってもよい。
【００２３】
このように、自転車２の共同利用システムでは、共同利用される自転車２は駐輪装置４によって施錠管理されている。自転車２のキー９（図３参照）は、キー管理装置６によって貸し出し・返却をコンピュータによって自動管理され、そのキー管理装置６を遠隔地から共同利用システム管理会社８によって管理されている。
【００２４】
次に、図２を参照して自転車２の共同利用システムをさらに詳しく説明する。
図２は、本発明の実施の形態に係る共同利用システムのブロック図である。
図２に示すように、駐輪装置４は、自転車２を施錠・解錠して保管する装置であり、この駐輪装置４は、駐輪場３内に並設されている。駐輪装置４は、例えば、車両検出部４ａと、車輪ロック部４ｂと、電池充電部４ｃとを有してなる。
【００２５】
車両検出部４ａは、駐輪装置４に載置された自転車２の存在の有無を検出するものであり、この車両検出部４ａは、例えば、重量計等から構成されている。車両検出部４ａは、駐輪制御装置５の駐輪装置制御部５ａに電気的に接続されている。
【００２６】
車輪ロック部４ｂは、自転車２の車輪２ａをロック部材（図示せず）によって施錠・解錠する盗難防止用施錠装置からなる。この車輪ロック部４ｂは、駐輪装置制御部５ａに電気的に接続されている。
【００２７】
電池充電部４ｃは、例えば、電動モータを動力源とする電動自転車の電池１０を充電するための充電装置であり、この電池充電部４ｃは、駐輪装置４の端部に装備されている。その電池充電部４ｃは、駐輪装置制御部５ａに電気的に接続されている。
【００２８】
駐輪制御装置５は、駐輪装置４を作動させるための装置であり、この駐輪制御装置５は、駐輪場３内の適宜な場所に設置されている。その駐輪制御装置５は、車両検出部４ａ、車輪ロック部４ｂおよび電池充電部４ｃを制御するための駐輪装置制御部５ａと、その駐輪装置制御部５ａが把握している駐輪装置４の状況をキー管理装置６に送受信するための通信部５ｂとから構成されている。
駐輪装置制御部５ａは、通信部５ｂを介してキー管理装置６の通信部６ａに電気的に接続されている。
【００２９】
キー管理装置６は、自転車２のキー９の貸し出しおよび返却を管理する管理装置である。このキー管理装置６は、キー装置７と、通信部６ａと、記憶部６ｂと、貸し出し・返却管理部６ｃと、カードリーダ６ｄと、テンキー６ｅと、モニター６ｆと、電話回線接続部６ｇとから構成されている。
【００３０】
キー装置７は、キー９が盗難されないように収納するとともに、貸し出しおよび返却されるキー９（図３参照）を施錠して管理する装置である。このキー装置７は、貸し出し・返却管理部６ｃに電気的に接続されている。
【００３１】
通信部６ａは、駐輪制御装置５の通信部５ｂと貸し出し・返却管理部６ｃとからのデータを送受信するためのものである。この通信部６ａは、貸し出し・返却管理部６ｃに電気的に接続されている。
【００３２】
記憶部６ｂは、貸し出されるキー９のデータや、後記するカードのデータや、自転車２のデータ等を記憶するためのメモリーである。この記憶部６ｂは、貸し出し・返却管理部６ｃに電気的に接続されている。
【００３３】
貸し出し・返却管理部６ｃは、自転車２に貸し出しおよび返却のデータを管理するものである。この貸し出し・返却管理部６ｃは、電話回線接続部６ｇに電気的に接続されている。
【００３４】
カードリーダ６ｄは、共同利用者および自転車２の情報を記憶したカードのデータを読み取るための読み取り器である。なお、カードとは、例えば、自転車２を共同利用する共同利用システムの会員カードであり、ＩＣカードまたは磁気カード等からなる。
【００３５】
テンキー６ｅは、記憶部６ｂにデータを手動的に打ち込むためのものである。このテンキー６ｅは、貸し出し・返却管理部６ｃに電気的に接続されている。モニター６ｆは、そのテンキー６ｅで打ち込んだ文字や記憶されている情報等を映し出すための映像器である。
【００３６】
電話回線接続部６ｇは、ＰＨＳ等の電話回線網に接続するための接続器である。この電話回線接続部６ｇは、一方が通信部６ａに電気的に接続され、他方が共同利用システム管理会社８にシリアル回線によって接続されている。
【００３７】
共同利用システム管理会社８は、例えば、自転車２、駐輪装置４、駐輪制御装置５、およびキー管理装置６の管理をする管理会社または管理組合等である。
【００３８】
次に図３を参照してキー管理装置６を説明する。
図３は、本発明の実施の形態に係るキーボックスおよびキーを示す分解斜視図である。
【００３９】
図３に示すように、キー管理装置６は、共同利用物のキー９を複数用意されたキー装置７のキー挿入部７ａの１つに挿入して管理する装置である。このキー管理装置６は、例えば、共同住宅１（図１参照）の玄関等の共有フロア１ａ（図１参照）に設置されている。キー管理装置６は、多数のキー装置７を収納したキーボックス２８を有する。
【００４０】
キーボックス２８は、圧延鋼板等からなる箱体であり、このキーボックス２８は、例えば、共有フロア１ａ（図１参照）の壁等に固定されている。キーボックス２８は、多数のキー装置７を並設したパネル２８ａと、キーボックス２８の開口部２８ｂを開閉する扉２８ｃとから構成されている。
【００４１】
パネル２８ａは、各キー装置７を保持する圧延鋼板等からなる板材であり、このパネル２８ａは、例えば、キー装置７を面一に並設している。扉２８ｃは、前記パネル２８ａと同様、圧延鋼板等から形成され、キーボックス２８に電子錠（図示せず）または南京錠（図示せず）等によって施錠されている。
【００４２】
次に、図３を参照してキー９を説明する。
図３に示すように、キー９は、自転車２等の共同利用物を施錠・解錠するための一般的な鍵本体１１のキーノブ部１１ａを被覆するキーノブカバー１２を有してなる。
【００４３】
鍵本体１１は、例えば、指で掴むためのキーノブ部１１ａと、鍵収納部７ｄ（図４参照）に挿入されるキー部１１ｄとから構成されている。キーノブ部１１ａは、例えば、合成樹脂により形成され、キー部１１ｄをインサート成形してキー部１１ｄと一体になっている。なお、キーノブ部１１ａは、金属によりキー部１１ｄと一体形成したものであってもよい。キー部１１ｄは、例えば、真鍮等の金属から形成され、上下面に鍵山１１ｃが形成されているとともに、表裏面に鍵溝１１ｂが形成されている。
【００４４】
キーノブカバー１２は、キーノブ部１１ａを覆うものであり、このキーノブカバー１２は、例えば、合成樹脂により箱型に成形されてなる。キーノブカバー１２には、キー９を識別するための識別部１２ａと、後記する電磁ソレノイド１３（図４参照）のプランジャ１３ａ（図４参照）が係合・離脱する係合部１２ｂと、キーノブカバー１２に所定以上の引張力が加わったときに、優先的に破断または破損する破損可能部１２ｃとが設けられている。このキーノブカバー１２は、破損可能部１２ｃによって分離するカバー本体１２ｄと、カバー本体１２ｄから分離される先端部１２ｅとからなる。
【００４５】
カバー本体１２ｄには、キーノブ部１１ａを収納するための凹陥１２ｆが形成されており、その凹陥１２ｆの奥にキーノブ部１１ａが収納されて接着剤等により固定されている。凹陥１２ｆには、例えば、先端部１２ｅが所定以上の引張力で引っ張ることにより離脱するように嵌合されている。
【００４６】
識別部１２ａは、例えば、キーノブカバー１２のキー部１１ｄ側の側面に形成された切欠または穴からなる。この識別部１２ａは、その切欠の大きさまたは穴の深さＬ１をそれぞれのキーノブカバー１２によって相違させることによって、キー９を識別するものである。なお、識別部１２ａは、特許請求の範囲における「識別手段」に相当する。
【００４７】
係合部１２ｂは、例えば、カバー本体１２ｄの上面、下面、左側面、または右側面等の表面に形成された穴からなる。この係合部１２ｂは、電磁ソレノイド１３（図４参照）のプランジャ１３ａ（図４参照）が係合・離脱できる大きさに形成されている。
【００４８】
次に、図４を参照してキー装置７の各部の構造を説明する。
図４は、本発明の実施の形態に係るキー装置の要部拡大断面図である。
図４に示すように、キー装置７は、所定のキー９を施錠・解錠して保管する装置である。このキー装置７は、キーノブカバー１２の少なくとも一部を収納可能に形成されたキー挿入部７ａと、識別部（識別手段）１２ａからキー９の識別情報を読み取る可変抵抗器１４と、キー９がキー挿入部７ａに収納された時に係合部１２ｂと係合することによりキー９を施錠するとともに、利用者の解錠指示によりキー９を抜き取り可能に解錠する電磁ソレノイド（キー固定手段）１３とを備えている。キー装置７のパネル２８ａ（図３参照）には、キー挿入部７ａの開口形状である開口部７ｂがキーノブカバー１２の形状に合わせて形成されている。
【００４９】
なお、可変抵抗器１４は、特許請求の範囲における「識別情報読取手段」に相当する。電磁ソレノイド１３は、特許請求の範囲における「キー固定手段」に相当する。
【００５０】
キー挿入部７ａは、キー９を挿入する挿入深さＬ２が、キー９が施錠された状態で、キー挿入部７ａからのキーノブカバー１２の突き出し量Ｌ３が約１０ｍｍ以下になるように設定されている。キー挿入部７ａに挿入されるキーノブカバー１２の破損可能部１２ｃは、キー９が施錠された状態でキー挿入部７ａの開口部７ｂより奥側に位置するように設けられている。
【００５１】
キー挿入部７ａは、キーノブ部１１ａが挿入されるカバー収納部７ｃと、このカバー収納部７ｃに連続形成されるとともにキー部１１ｄが挿入される鍵収納部７ｄとからなる。カバー収納部７ｃの内壁には、プランジャ１３ａをカバー収納部７ｃ内に出没自在に設けた電磁ソレノイド１３と、キーノブカバー１２がカバー収納部７ｃの奥の所定位置まで挿入されたことを検出するキー装着検出用のマイクロスイッチ１５と、識別部１２ａの深さＬ１を検出する可変抵抗器１４のプッシュロッド１６と、キー９がカバー収納部７ｃから取り出されたことを検出するキー取り出し検出用のマイクロスイッチ２０とが配設されている。
【００５２】
電磁ソレノイド１３（キー固定手段）は、貸し出し・返却管理部６ｃ（図２参照）からの信号によりコイル（図示せず）に電流が流れることにより、プランジャ１３ａをカバー収納部７ｃ内に突出させたり、退避させて、そのプランジャ１３ａを係合部１２ｂ内に係合・離脱させるロック装置である。プランジャ１３ａは、電磁ソレノイド１３に内設されたコイル（図示せず）の磁力によって電磁ソレノイド１３から出没する磁性金属からなる棒状の部材である。このプランジャ１３ａは、カバー収納部７ｃの内側側壁に設置され、コイル（図示せず）の磁力とコイルばね（図示せず）の復帰力によって係合部１２ｂ内に係合・離脱するように設置されている。
【００５３】
マイクロスイッチ１５は、キー９がキー挿入部７ａに挿入されて、キーノブカバー１２がカバー収納部７ｃの所定位置まで挿入されたときに、可動接点部１５ａが押圧されてスイッチオンしてキー９の装着を検出するスイッチ（キー装着検出手段）である。このマイクロスイッチ１５は、キーノブカバー１２がカバー収納部７ｃの所定位置から離れるとスイッチオフする押し釦式スイッチ等からなる。マイクロスイッチ１５は、カバー収納部７ｃの底面に設置されている。
【００５４】
マイクロスイッチ２０は、キー挿入部７ａに挿入されたキーノブカバー１２がカバー収納部７ｃから引き出されて、可動接点部２０ａが押圧されなくなったときにスイッチオンしてキー９の取り出しを検出するスイッチ（キー取り出し検出手段）である。このマイクロスイッチ２０は、キーノブカバー１２がカバー収納部７ｃに挿入されるとスイッチオフするスイッチである。このマイクロスイッチ２０は、前記マイクロスイッチ１５と同様の押し釦式スイッチ等からなる。マイクロスイッチ２０は、カバー収納部７ｃの内側側壁に設置されている。
【００５５】
可変抵抗器１４は、キーノブカバー１２の識別部１２ａの深さＬ１（識別手段）を検出してその深さＬ１に応じた抵抗値に変える識別情報読取手段であり、その可変抵抗器１４は、カバー収納部７ｃの底面に設置されている。この可変抵抗器１４は、キーノブカバー１２の識別部１２ａに押圧されて進退するプッシュロッド１６と、このプッシュロッド１６を開口部７ｂ側に付勢するためのコイルばね１７と、プッシュロッド１６に設置されてともに移動する可動接点１８と、この可動接点１８が摺動する抵抗体１９とから構成されている。
【００５６】
プッシュロッド１６は、例えば、カバー収納部７ｃ側の先端に、識別部１２ａに当接する頭部１６ａを有する導電性金属からなる。このプッシュロッド１６は、コイルばね１７を介してカバー収納部７ｃの底面に穿設されたプッシュロッド設置孔７ｅに進退自在に挿設されている。
【００５７】
可動接点１８は、プッシュロッド１６の先端に固着された導電性の板ばね部材またはブラシ状弾性部材からなるスライダーである。その可動接点１８は、入出力ユニット２２（図５参照）に電気的に接続されている。抵抗体１９は、例えば、セラミック基板に印刷された印刷抵抗体からなる。その抵抗体１９は、入出力ユニット２２（図５参照）に電気的に接続されている。
【００５８】
次に、図５を参照してキー装置７の電気接続関係と電気的な構成を説明する。
図５は、本発明の実施の形態に係るキー装置の機能ブロック図である。
キー装置７は、多数のキー固定ユニット７１，７２，７３・・・７ｎと、入出力ユニット２２とから構成され、貸し出し・返却管理部６ｃに電気的に接続されている。
【００５９】
キー固定ユニット７１は、電磁ソレノイド（キー固定手段）１３、可変抵抗器１４と、キー装着検出用のマイクロスイッチ（キー装着検出手段）１５と、キー取り出し検出用のマイクロスイッチ（キー取り出し検出手段）２０と、キー９の着脱状況を照明表示する発光ダイオード等からなる表示部２１とから構成されている。
【００６０】
電磁ソレノイド１３は、入出力ユニット２２の固定情報入出力部２７を介して貸し出し・返却管理部６ｃに電気的に接続されている。マイクロスイッチ１５は、入出力ユニット２２の装着情報入出力部２６を介して貸し出し・返却管理部６ｃに電気的に接続されている。可変抵抗器１４は、入出力ユニット２２の読み取り情報入出力部２５を介して貸し出し・返却管理部６ｃに電気的に接続されている。マイクロスイッチ２０は、入出力ユニット２２の取り出し情報入出力部２４を介して貸し出し・返却管理部６ｃに電気的に接続されている。表示部２１は、入出力ユニット２２の表示情報入出力部２３を介して貸し出し・返却管理部６ｃに電気的に接続されている。
【００６１】
入出力ユニット２２は、各々のキー固定ユニット７１，７２，７３・・・７ｎと貸し出し・返却管理部６ｃから送信された信号を送受信するユニットであり、この入出力ユニット２２は、キー装置７に内設されている。入出力ユニット２２は、表示情報入出力部２３と、取り出し情報入出力部２４と、読み取り情報入出力部２５と、装着情報入出力部２６と、固定情報入出力部２７とから構成されている。
【００６２】
表示情報入出力部２３は、各キー固定ユニット７１，７２，７３・・・７ｎの表示部２１を点灯・消灯するための信号を出力する発信部である。取り出し情報入出力部２４は、各キー固定ユニット７１，７２，７３・・・７ｎのマイクロスイッチ２０の取り出しの有無の信号を受信する受信部である。読み取り情報入出力部２５は、各キー固定ユニット７１，７２，７３・・・７ｎの可変抵抗器１４の識別情報の読み取り信号を受信する受信部である。装着情報入出力部２６は、キー固定ユニット７１，７２，７３・・・７ｎのマイクロスイッチ１５のキー装着の信号を受信する受信部である。固定情報入出力部２７は、キー固定ユニット７１，７２，７３・・・７ｎの電磁ソレノイド１３のコイルに、キーノブカバー１２を施錠・解錠するための施錠信号およびを解錠信号を送信する送信部である。
【００６３】
図６は、本発明の実施の形態に係るキー管理装置の動きを示すフローチャートである。
次に図２、図５および図６を参照してキー管理装置６について説明する。なお、キー管理装置６は、各キー装置７について同様の処理を行うため、１つのキー装置７に対しての信号処理についてのみ説明する。
【００６４】
図２に示すように、キー管理装置６の電源（図示せず）をオンすることにより、キー９（図５参照）の貸し出し・返却を管理するキー管理装置６およびキー装置７がスタートする。
【００６５】
まず、共同住宅１の住人で自転車２（図１参照）を利用する契約をしている利用者であるかを利用者が所持しているカードをカードリーダ６ｄに通すことによりユーザー確認を行う（ステップＳ１）。すなわち、カードとカードリーダ６ｄにより、契約者であるかを判別して、契約者以外の者は、自転車２（図１参照）を利用できないようにしている。
【００６６】
そして、カードの所持者が契約者であるときは、自転車２（図１参照）を貸し出しか、返却かのメニュー選択を行う（ステップＳ２）。自転車２（図１参照）を返却するときは、ステップＳ３に進み、自転車２（図１参照）の貸し出しをするときは、ステップＳ６に進んで貸し出しの手続きをする。
【００６７】
前記自転車２（図１参照）の返却の手続きをするときは、まず、貸し出された自転車２（図１参照）が返却されたか車両返却確認を行う（ステップＳ３）。図２に示すように、駐輪装置４上に自転車２（図１参照）が返却されると、自転車２（図１参照）の荷重等を車両検出部４ａが検出して、この車両検出部４ａは、自転車２（図１参照）が返却された車両返却信号を駐輪装置制御部５ａ、通信部５ｂ、通信部６ａを介して貸し出し・返却管理部６ｃに送信する。キー管理装置６では、この車両返却信号がモニター６ｆに表示されて自転車２（図１参照）の返却の確認ができる。
【００６８】
次に、キー装置７によって利用者からのキー９の返却の確認を行う（ステップＳ４）。図５に示すように、キー９をキー装置７のキー挿入部７ａに挿入して返却されると、キーノブカバー１２は、マイクロスイッチ２０、可変抵抗器１４およびマイクロスイッチ１５を作動させる。
【００６９】
マイクロスイッチ２０は、キーノブカバー１２がキー挿入部７ａに挿入されると、スイッチオフしてキー９が返却された信号を取り出し情報入出力部２４を介して貸し出し・返却管理部６ｃに送信する。
【００７０】
マイクロスイッチ１５は、キーノブカバー１２がキー挿入部７ａの所定位置まで挿入されると、スイッチオンしてキー９が所定位置まで挿入された信号を装着情報入出力部２６を介して貸し出し・返却管理部６ｃに送信する。
【００７１】
可変抵抗器１４は、キーノブカバー１２がキー挿入部７ａに挿入されると、識別部１２ａに押されて移動し、識別部１２ａの深さＬ１に応じた抵抗値の信号を読み取り情報入出力部２５を介してどのキー９が返却されたかを貸し出し・返却管理部６ｃに送信する。
【００７２】
これらのマイクロスイッチ１５，２０および可変抵抗器１４からの信号によって、どのキー９が返却されたかということがモニター６ｆ（図２参照）に表示されてキーの返却が確認される。
【００７３】
次に、図２に示す記憶部６ｂに記憶されたメモリーから貸し出し時間を計算して課金処理を行う（ステップＳ５）。そして、その貸し出し時間に応じた使用料金を支払うことで終了する。
【００７４】
前記メニュー選択のステップＳ２で貸し出しを選択した場合は、今までの自転車２の貸し出しや返却や料金の支払い等の履歴を記憶部６ｂに記憶されたデータから確認する（ステップＳ６）。そして、過去の履歴に問題がある場合は終了し、その利用者に他の自転車２を貸し出し中の場合は前記ステップＳ２に戻り、利用者に問題がなく、新規に自転車２を貸してもよいときはステップＳ７の処理を行う。
【００７５】
そのステップＳ７では、図２に示すように、各々の車両検出部４ａからの車両有無を知らせる信号によって、モニター６ｆに表示された車両の在庫の確認を行う（ステップＳ７）。これにより、駐輪場３（図１参照）の自転車２の在庫状況が判る。
【００７６】
次に、キー装置７に装着されたキーノブカバー１２の識別部１２ａによって可変抵抗器１４から読み取り情報入出力部２５を介して貸し出し・返却管理部６ｃに送信されているキー９の識別情報信号から、キー装置７に返却されているキー９をモニター６ｆに表示する貸し出し可能な車両の算出を行う（ステップＳ９）。そして、そのモニター６ｆに表示された自転車２の在庫情報から車両を選択し、テンキー６ｅを操作して借りたい車両を指定する（ステップＳ１０）。
【００７７】
すると、図５に示すように、貸し出し・返却管理部６ｃが固定情報入出力部２７を介して電磁ソレノイド１３に貸し出し車両のキー９の解除信号を送り、プランジャ１３ａ（図４参照）が係合部１２ｂから離脱する。これにより、キー９をキー装置７から取り出して使用することが可能になる。
【００７８】
そして、利用者は、キー９をキー挿入部７ａから取り出す。すると、マイクロスイッチ２０は、そのキー９の取り出しを検出して、キー９の取り出しの確認をすることができる（ステップＳ１２）。マイクロスイッチ２０によりキー９の取り出しが確認された場合は、ステップＳ１３に進み、貸し出しが確認できずキー９がキー挿入部７ａに挿入されたままのときは、ステップＳ１４に進む。
【００７９】
ステップＳ１３では、図２に示すように、車両検出部４ａからの駐輪装置４上にある車両の有無を知らせる信号によって、貸し出されたキー９の自転車２の存在の有無がモニター６ｆに表示される。ステップＳ１３では、このモニター６ｆの表示によって、車両貸し出しの確認の処理を行う。これにより、自転車２が貸し出されたことが確認でき、貸し出しの処理が終了する。
【００８０】
前記キー９がキー挿入部７ａにそのまま挿入されて続けているときは、ステップＳ１４によって、キー９がキー挿入部７ａに挿入されている時間を貸し出し・返却管理部６ｃがタイマーカウントする。そして、貸し出し車両のキー固定解除が行われたときからの時間が規定時間前であれば、前記ステップＳ１２に戻ってステップＳ１２〜ステップＳ１４の処理を繰り返す。
【００８１】
貸し出し車両のキー固定解除が行われたときからの時間が規定時間を経過したときは、キー９を使用しないものと判断して、ステップＳ１５に進む。図５に示すように、貸し出し・返却管理部６ｃは、固定情報入出力部２７を介して電磁ソレノイド１３にキー固定信号を送ってプランジャ１３ａ（図４参照）を係合部１２ｂに係合させて、キーノブカバー１２を施錠して、処理が終了する。
【００８２】
なお、本発明は、前記実施の形態に限定されるものではなく、その技術思想の範囲内で種々の改造および変更が可能であり、本発明はこれら改造および変更された発明にも及ぶことは勿論である。
【００８３】
例えば、キー挿入部７ａには、そのキー挿入部７ａに挿入したキー９（図４参照）を自動的に押し出すキー取り出し手段（キー取り出し機構）を内設してもよい。なお、キー取り出し機構は、特許請求の範囲のキー取り出し手段に相当する。
【００８４】
次に、図７を参照してキー取り出し手段を説明する。
図７は、本発明の他の実施の形態に係るキー装置を示す図で、（ａ）はキーをキー挿入部の途中まで挿入したときの状態を示すキー取り出し機構の要部概略断面図、（ｂ）はキーをキー挿入部の奥まで装入したときの状態を示すキー取り出し機構の要部概略断面図である。
【００８５】
キー取り出し機構３０は、押釦式の作動ピン３４に形成された第２ラック３４ａに噛合する中間歯車３３によって、キーノブカバー３１に形成された第１ラック３１ａを連動させて、キー挿入部７ａに挿入されたキー９と取り出す装置である。
【００８６】
このキー取り出し機構３０は、第１ラック３１ａを形成したキーノブカバー３１と、第１ラック３１ａに噛合する中間歯車３３と、この中間歯車３３に噛合した第２ラックを有する作動ピン３４と、この作動ピン３４を外側に付勢するための復帰用ばね３５と、その作動ピン３４が外側に突出移動したときの緩衝用ばね３６とから構成されている。
【００８７】
キーノブカバー３１は、前記した実施の形態のキーノブカバー１２（図４参照）に第１ラック３１ａを追加したものである。このキーノブカバー３１は、キー挿入部７ａに出没自在に設置される。なお、キーノブカバー３１の端部３１ｂは、キー挿入部７ａの表面７ｇと同一面か、同一面よりも奥側になるように設定されている。
【００８８】
中間歯車３３は、例えば、ピニオンからなり、キーノブカバー３１に形成された第１ラック３１ａと、作動ピン３４に形成された第２ラック３４ａに噛合している。この中間歯車３３は、キー装置７内のキーノブカバー３１と作動ピン３４との間に介在され、一端がキー挿入部７ａ内に露出し、他端が作動ピン設置穴７ｆに露出している。
【００８９】
作動ピン３４は、キー装置７のキー挿入部７ａに隣設された作動ピン設置穴７ｈに出没自在に設置される。この作動ピン３４は、前記第２ラック３４ａと、基端部に形成されたストッパ３４ｂとを有する。そのストッパ３４ｂの外側には、コイルばねからなる緩衝用ばね３６が設置されている。作動ピン３４の基端部には、コイルばねからなる復帰用ばね３５が設置されている。
【００９０】
このように構成されたキー取り出し機構３０は、キー挿入部７ａにキー９が挿入されていなとき、作動ピン３４が図７（ａ）に示すように、キー装置７の表面７ｇに一致した状態にある。すなわち、作動ピン３４は、矢印Ａの作動ピン挿入穴７ｆの方向に押し込まれた状態にある。
【００９１】
次に、キー挿入部７ａにキー９が矢印Ｃ方向に挿入されると図７（ａ）に示すように、キーノブカバー３１の第１ラック３１ａが中間歯車３３に噛合する。更にキーノブカバー３１が矢印Ｃ方向に押し込まれ、キー挿入部７ａに完全に押し込まれると、図７（ｂ）に示す状態になる。
【００９２】
すなわち、キーノブカバー３１が矢印Ｃ方向に押し込まれると、第１ラック３１ａも同じ方向に移動して、中間歯車３３を回転させる。この中間歯車３３は、反対に、作動ピン３４を矢印Ｂの外側方向に移動させる。そして、作動ピン３４は、復帰用ばね３５により矢印Ｂの外側方向に付勢されて移動し、ストッパ３４ｂが緩衝用ばね３６に圧接することで、ストップする。
【００９３】
キー３２を取り出すときは、図７（ｂ）に示す作動ピン３４を矢印Ａ方向に押し込むことにより、第２ラック３４ａが中間歯車３３を回転させて、キーノブカバー３１を矢印Ｄの方向に突出移動させる。キーノブカバー３１がキー装置７の表面７ｇから突出したことにより、キーノブカバー３１と手で容易に摘んでキー３２を引き出すことができる。
【００９４】
また、キー取り出し機構３０は、中間歯車３３を回転させるための駆動モータ（図示せず）を設置して、この駆動モータ（図示せず）で自動的にキー３２がキー挿入部７ａから飛び出すようにしてもよい。
この場合、駆動モータ（図示せず）は、歯車減速機構（図示せず）を介して中間歯車３３を回転させる動力源であり、キー装置７に内設されている。この駆動モータ（図示せず）は、例えば、図６に示すステップＳ１１で貸し出し車両キーの固定を解除する信号が発信されたときに、その信号を受けて回転するようにする。なお、この場合、作動ピン３４、復帰用ばね３５および緩衝用ばね３６は、不要である。
【００９５】
また、前記実施の形態のキーノブカバー１２に設けた識別部（識別手段）１２ａと、その識別部１２ａを読み取る可変抵抗器（識別情報読取手段）１４とは、各々のキーノブカバー１２を判別して読み取ることができる識別手段と識別情報読取手段であればよく、その手段は特に限定しない。
【００９６】
例えば、識別部１２ａは、キーノブカバー１２に設けたバーコードとし、可変抵抗器１４はそのバーコードを読み取るバーコードリーダとしてもよい。
また、識別部１２ａは、例えば、キーノブカバー１２に設けた抵抗チップとし、可変抵抗器１４はその抵抗チップの抵抗値を読み取る抵抗検出装置としてもよい。
【００９７】
また、本発明は、自転車２を共同利用物として説明したが、本発明に係るキー装置は、共同利用される物のキーの管理装置であれば全てに適用できるものであり、自転車２のキー管理に限定されるものではない。共同利用物のキーは、例えば、自動車のキーや、パソコンの電源用キーや、その他電気機械類のキーや、レンタル製品のキーや、貸し別荘のキーや、レンタルルームのキーであってもよい。
【００９８】
キーノブカバー１２の破損可能部１２ｃは、キーノブカバー１２に所定以上の引張力が加わったときに、優先的に破断するようにしたものであればよい。例えば、キーノブカバー１２の破損可能部１２ｃは、薄肉状に形成して強度を他の箇所より低く設定することでも構成できる。このように破損可能部１２ｃを形成することにより、所定以上の引張力でキーノブカバー１２が２つに分断されるようになる。
【００９９】
【発明の効果】
以上説明したように、本発明の請求項１に記載のキー装置によれば、キー固定手段を有することにより、利用者の解錠指示によりキーを抜き取り可能に解錠することができるため、キーの固定、開放が容易になされる。
キーは、キーノブ部を被覆したキーノブカバーを有することにより、キーノブ部の形状が相違する種々の共同利用物に使用されるキーにもそのキーノブカバーを汎用的に設けて適宜に使用することが可能なため、キーのバリエーションに対する適用性を高めることができる。
キーノブカバーは、キーを識別するための識別手段を有し、キー挿入部は、識別手段からキーの識別情報を読み取る識別情報読取手段を有することにより、各々のキーの識別をキーノブカバーによって行うことができるため、キーの鍵山や鍵溝や全長等とは無関係にキーの管理ができる。したがって、キー装置を製造するとき、共同利用物や共同利用するキーが決まっていなくても、キー装置を製造することができるため、キー装置を完成するまでの時間や組み付け工数を削減することができる。また、共同利用物を変更した場合（キーシリンダを変更した場合）、キーノブカバーだけ変更すればよく、対応が容易である。したがって、製造コスト、管理コストを抑えることができる。
【０１００】
本発明の請求項２に記載のキー装置によれば、キーノブカバーは、キーを盗難する目的で、強引に所定以上の引張力で引っ張られると破損可能部が破損することにより、破損可能部が破損してキーノブカバーを掴み難くなり、キーを引き抜くことができないため、セキュリティが向上する。
【０１０１】
本発明の請求項３に記載のキー装置によれば、キー装置は、キーが施錠された状態で、キーノブカバーの端部がキー挿入部の表面と同一面か、同一面よりも奥側になるように設定されている。これにより、キーを盗難する目的でキーノブカバーを指で掴んで引っ張ろうとしても、キーノブ部が掴めなくなり、キーが盗難されることを防止でき、セキュリティが向上する。
【図面の簡単な説明】
【図１】本発明の実施の形態に係る共同利用システムのブロック図である。
【図２】本発明の実施の形態に係る共同利用システムのブロック図である。
【図３】本発明の実施の形態に係るキーボックスおよびキーを示す分解斜視図である。
【図４】本発明の実施の形態に係るキー装置の要部拡大断面図である。
【図５】本発明の実施の形態に係るキー装置の機能ブロック図である。
【図６】本発明の実施の形態に係るキー管理装置の動きを示すフローチャートである。
【図７】本発明の他の実施の形態に係るキー装置を示す図で、（ａ）はキーをキー挿入部の途中まで挿入したときの状態を示すキー取り出し機構の要部概略断面図、（ｂ）はキーをキー挿入部の奥まで装入したときの状態を示すキー取り出し機構の要部概略断面図である。
【符号の説明】
２  自転車
６  キー管理装置
７  キー装置
７ａ  キー挿入部
７ｂ  開口部
７ｇ  表面
９，３２  キー
１１  鍵本体
１１ａ  キーノブ部
１１ｄ  キー部
１２，３１  キーノブカバー
１２ａ  識別部（識別手段）
１２ｂ  係合部
１２ｃ  破損可能部
１３  電磁ソレノイド（キー固定手段）
１４  可変抵抗器（識別情報読取手段）
１５  マイクロスイッチ（キー装着検出手段）
２０  マイクロスイッチ（キー取り出し検出手段）
３０  キー取り出し機構（キー取り出し手段）
３１ｂ  端部
Ｌ１  識別部の深さ
Ｌ２  キー挿入深さ
Ｌ３  突き出し量
【図１】
2004244822.tif 000003
【図２】
2004244822.tif 000004
【図３】
2004244822.tif 000005
【図４】
2004244822.tif 000006
【図５】
2004244822.tif 000007
【図６】
2004244822.tif 000008
【図７】
2004244822.tif 000009